(57)【要約】【課題】  女性が長時間椅子に座る時などに、大腿部の姿勢が崩れ勝ちになるのを防いで、正しい姿勢に安定に保持する大腿部安定化用装着具は、大腿部を入れる部分の大きさが固定されたものであり、大腿部の太さの個人差によって、窮屈な人や逆に隙間の大きくなる人が居るという問題があった。【解決手段】本願発明は、以上のような課題を解決するため、板状の座面部１と、座面部１の両端それぞれに座面部１から立ち上がり弾性を有する一対の側面部２，３と、一方の側面部２から他方の側面部３の間に張られ大腿部の下に敷かれる帯状体６とを有するもので、帯状体６の上に大腿部を乗せることによって一対の側面部２，３が互いに近づき、大腿部を適切な力で両側から押すようになるものである。【選択図】図１
2009240777.tif 000002
【特許請求の範囲】
【請求項１】
大腿部の開きを防止して、大腿部の姿勢を正しく、安定に保持するための大腿部安定化用装着具であって、板状の座面部と、前記座面部の両端それぞれから立ち上がった側面部と、それぞれの側面部と座面部との間に張られ大腿部に敷かれる帯状体と、を有することを特徴とする大腿部安定化用装着具。
【請求項２】
座面板に対し、それぞれの側面板はヒンジ部を介して取り付けられていることを特徴とする請求項１記載の大腿部安定化用装着具。
【請求項３】
ヒンジ部は一部が薄肉状になった合成樹脂板であることを特徴とする請求項２記載の大腿部安定化用装着具。
【請求項４】
ヒンジ部は、他の部分より柔軟に構成された板であることを特徴とする請求項２記載の大腿部安定化用装着具。
【請求項５】
帯状体は長さが調節自在であることを特徴とする請求項１記載の大腿部安定化用装着具。
【請求項６】
帯状体は一端が側面部に固定され、座面部の中央付近で折り返され、他端が座面部上で長さが調節自在に固定されるものであることを特徴とする請求項１記載の大腿部安定化用装着具。
【発明の詳細な説明】
【技術分野】
【０００１】  本願発明は大腿部安定化用装着具に関し、特に女性が長時間椅子に座る時などに、大腿部の姿勢が崩れ勝ちになるのを防いで、常時、正しい姿勢に安定に保持することができるようにした大腿部安定化用装着具に関する。
【背景技術】
【０００２】  女性が椅子に座る場合、両足を揃えて閉じた状態に維持するには大腿部の内側の筋肉に力を入れる必要があり、長時間座り続ける場合には、その姿勢を維持することが困難で、自ずと足が開いて来るという問題があった。【０００３】  このために、足を組むなどの動作を行う場合があった。足を組む姿勢を長時間維持すると、背骨が左右何れかに湾曲した状態が維持され、腰痛の原因になるという報告がある。【０００４】  これに対し、特許文献１や特許文献２に開示された考案がなされた。特許文献１に開示されたものは、大腿部の下に敷く帯状の座面部と、座面部の両端にそれぞれ続き、大腿部の側方への移動を制止するようにして形成されたＬ字状折曲部とを有しており、これによって長時間椅子に座る時などに、大腿部が開いて、大腿部の姿勢が崩れるのを防ぐものである。【０００５】  特許文献２に開示されたものは、大腿部の開きを防止して、大腿部の姿勢を正しく安定に保持するための大腿部安定化装置である。
【特許文献１】実用新案登録第３１２８１８７号
【特許文献２】実用新案登録第３０６７０６３号
【発明の概要】
【発明が解決しようとする課題】
【０００６】  特許文献１に開示されたものは、大腿部の下に敷く帯状の座面部と、その両端に形成されたＬ字状折曲部よりなるため、一対のＬ字状折曲部の間隔は一定である。また特許文献２に開示されたものも、大腿部を入れる部分の大きさが固定されたものである。所で、大腿部の太さは個人差が大きく、一定の間隔のＬ字状折曲部の間に大腿部を入れた場合に、窮屈な人や逆に隙間の大きくなる人が居る。このため、窮屈な人にあっては長時間、大腿部を締め付けられることになり、血行が阻害されたり、不快であったりする。逆に隙間の大きな人にあっては、両足を揃えて閉じた状態に維持するには大腿部の内側の筋肉に力を入れる必要があり、本来の効果を生じることができないという問題があった。【０００７】  さらに大中小などの複数のサイズの物を用意し、使用者の大腿部の大きさに合わせて用いるようにする事も可能であるが、この場合、使用の途中で締め付け強度を変えることができない。つまり長時間座っている場合には、途中で姿勢を変えたい場合もあり、このような場合に、その姿勢に合わせて締め付け強度を調節可能であると、快適であるが、従来のものでは、このような要求に対応することができなかった。特に、長く座る状況を考慮すると、会議や演奏会への参加など格式のある場面が多く、他の人から悟られることなく、大腿部を抑える部材の幅や、締め付け強度などを変更できる事が望ましい。
【課題を解決するための手段】
【０００８】  本願発明は、以上のような課題を解決するため、板状の座面部と、座面部の両端それぞれに座面部から立ち上がり弾性を有する一対の側面部と、一方の側面部から他方の側面部の間に張られ大腿部の下に敷かれる帯状体とを有するもので、帯状体の上に大腿部を乗せることによって一対の側面部が互いに近づき、大腿部を適切な力で両側から押すようになるものである。
【発明の効果】
【０００９】  本願発明は、帯状体を大腿部の下に敷くようにするため、帯状体が大腿部に押されて張力を発生する。この張力によって一対の側面部が互いに接近する方向に引かれる。この一対の側面部が互いに接近する方向に引かれる力によって側面部が両側から大腿部を押す。【００１０】  つまり、大腿部によって帯状体を押し下げる力によって大腿部を両側から押す力が発生する。この事は、大腿部の幅より小さな間隔の側面部の間に大腿部を押し込むのではなく、大腿部によって帯状体を押し下げる力によって側面部が大腿部を両側より押すものであり、大腿部の太さに係わらず、適切な力で大腿部の外側を抑えることになり、大腿部の太い人が長時間使用することによっても挟まれて痛くなったり、逆に大腿部の細い人が十分に大腿部を抑えられずに所望の効果が得られなくなったりするということがない。【００１１】  大腿部が帯状体を下に押す力で左右の側面部がそれぞれ内側に倒れ、大腿部を左右両側から抑える。大腿部が太いと、帯状体に作用する位置は外側になり、側面部が内側に向かう力が多少強くなり、大腿部が細いと、帯状体に作用する位置は内側になり、側面部が内側に向かう力が多少弱くなる。よって、大腿部を押す力は大腿部の太さによって大きく変化せず、大腿部太い人が特別窮屈であったり、逆に大腿部の細い人が緩すぎるということがない。また、同じ人でも本発明の大腿部安定化装置を膝に近い位置で用いるか、股に近い位置で用いるかによって大幅に締め付け力が大幅に変わることがないため、大腿部安定化装置の位置を変えて姿勢を時々変えることができる。【００１２】  さらに、大腿部を抑える力は側面部が外に押し広げられて元に戻る弾性によって発生しているのではなく、帯状体を下に押し下げる力によって発生しているため、長期の使用で側面部の弾性力が劣化しても大腿部を抑える力が大きく落ちることはない。また帯状体に力が加わっていない場合には、側面部に加わる力もなく、側面部はヒンジを介して簡単に内側に倒れるため容易に折り畳むことができ、持ち運びも簡単である。
【図面の簡単な説明】
【００１３】
【図１】    本発明の大腿部安定化用装着具の斜視図である。
【図２】    本発明の大腿部安定化用装着具の正面図である。
【図３】    本発明の大腿部安定化用装着具の他の実施例の正面図である。
【図４】    本発明の大腿部安定化用装着具のヒンジの拡大正面図である。
【図５】    本発明の大腿部安定化用装着具のヒンジの拡大正面図である。
【図６】    本発明の大腿部安定化用装着具のヒンジの他の例の拡大正面図である。
【図７】    本発明の大腿部安定化用装着具別の実施例の折り畳んだ状態の正面図である。
【図８】    本発明の大腿部安定化用装着具さらに別の実施例の折り畳んだ状態の正面図である。
【図９】    本発明の大腿部安定化用装着具さらに追加された実施例の折り畳んだ状態の正面図である。
【図１０】    本発明の大腿部安定化用装着具の帯状体の他の実施例の斜視図である。
【図１１】    本発明の大腿部安定化用装着具の帯状体のさらに他の実施例の斜視図である。
【図１２】    本発明の大腿部安定化用装着具の帯状体のさらに追加された実施例の斜視図である。
【図１３】    本発明の大腿部安定化用装着具の帯状体のさらに追加された実施例の斜視図である。
【図１４Ａ】    本発明の大腿部安定化用装着具の側面部と帯状体に作用する力を説明する正面図である。
【図１４Ｂ】    本発明の大腿部安定化用装着具の側面部と帯状体に作用する力を説明する正面図である。
【図１４Ｃ】    本発明の大腿部安定化用装着具の側面部と帯状体に作用する力を説明する正面図である。
【図１５】    本発明の大腿部安定化用装着具の帯状体の実施例７の左半分正面図である。
【発明を実施するための形態】
【００１４】  本発明の請求項１の発明は、大腿部の開きを防止して、大腿部の姿勢を正しく、安定に保持するための大腿部安定化用装着具であって、板状の座面部と、前記座面部の両端それぞれから立ち上がった側面部と、それぞれの側面部と座面部との間に張られ大腿部に敷かれる帯状体と、を有し、帯状体を大腿部の下に敷くことによって帯状体が大腿部に押し下げられて張力を発生し、一対の側面部が互いに接近する方向に引かれ、側面部が両側から大腿部を押す。
【実施例１】
【００１５】  図１は本発明の大腿部安定化用装着具の斜視図である。１は板状の座面部であり、人の大腿部を揃えた場合の幅より大きな長さを有している。２，３はそれぞれ座面部１の両端から立ち上がった状態の側面部である。底面部１の大きさであるが、上記のように大腿部の大きさに対し多少大きくても小さくても側面部２，３が大腿部を抑える力は大きく変化せず、よって大腿部を揃えた幅よりも必ずしも大きい必要はなく、多少小さいものでも、効果はあまり変わらない。【００１６】  この側面部２，３はそれぞれポリプロピレンやアクリロニトリル・ブタジエン・スチレン（ＡＢＳ樹脂）などの合成樹脂などの弾性を有する材料より作られる。【００１７】  また側面部２，３の末端はそれぞれヒンジ４，５を介して座面部の両端に回動自在に取り付けられている。そして側面部２，３の先端より少し下から座面部１の間に張られた帯状体６，７が設けられている。この帯状体６，７は図２に示すように座面部１の離れた部分に結合してもよいし、図１２に示すように座面部１の同一部分に結合してもよいし、この帯状体６，７は大腿部の下に敷かれるものである。【００１８】  この帯状体６は大腿部で押されて発生する張力に十分に耐えるように、また大腿部が直接触れても不快でないように、汗を吸う木綿や麻で作られると好ましい。或いは強度や軽さの観点からは、ナイロンや絹なども考えられる。
図２は、本発明の大腿部安定化用装着具を使用する前と、使用した状態を示す正面図である。図２の破線は大腿部の断面を示す。この場合、大腿部によって帯状体６，７がほぼ垂直下方に引っ張られ、これによって側面部２，３はヒンジ４，５から曲がらずに図２のように外側へ湾曲する。つまり、図２に示すように、帯状体６，７が大腿部によって、ほぼ垂直下方に引っ張られるために、側面部２，３は帯状体６，７の取り付け部からほぼ垂直下方に引かれ、座屈した状態で湾曲する。【００１９】  この状態をさらに図１４Ａ〜図１４Ｃによって詳細に説明する。この図１４Ａ〜図１４Ｃにおいて、理解し易いように帯状体７が力の作用点ａで折れ曲がったように表現しているが、これは力の方向（ベクトル）を現しており、実際には大腿部に沿った形状となる。先ず、図１４Ａのように大腿部によって押されていない状態から、大腿部によって押された状態になると、帯状体７の点ａが点Ａへと押し下げられたのと同じ状態となる。【００２０】  これによって側面部３の帯状体７の固定部分が矢印方向に引っ張られる。これによって図１４Ｂに示すように、側面部３が多少座屈し、大腿部が側面部３を矢印方向に押すようになり、破線の状態から実線の状態になる。図１４Ｃは、大腿部の太い人が使用した状態を表し、帯状体７は広い範囲で下に押し下げられ、力の作用点Ａが図１４Ｂの場合よりも外側になるため、帯状体７に強い張力が働き、取り付け部を強く引く。【００２１】  これによって、取り付け部で矢印の方向に反作用が働き、側面部３は破線の状態になる。この状態でも、側面部３の上端付近はほぼ垂直な状態であり、大腿部を横から抑えて安定状態をつくる。図１４Ｂに示すように、大腿部が側面部３を矢印方向に押すようになると側面部３が多少座屈し、破線の状態から実線の状態になる。【００２２】  図４から図６はそれぞれヒンジ４の拡大図である。図４は帯状体６に力が掛かっていない状態を示し、図５は帯状体６に力が掛かっている状態を示している。帯状体６に大腿部から下向きに力が掛かった場合には、図５のようにヒンジ４は曲がらずに伸びた状態となる。図６はヒンジ４の内側に補強するためにポリプロピレンなどの弾性板８を付けた例を示す。ポリプロピレンは多数回の曲げに対して耐力があり、ヒンジ４の補強に適する。そして側面部２の芯材はある程度弾性係数が高い材料が適しており、ＡＢＳや硬質塩化ビニルなどが適する。【００２３】  図７は、大腿部安定化用装着具を折り畳んだ状態を示す図である。これから分かるように、ヒンジ４，５より側面部２，３を内側に倒すことによって、小さく折り畳むことができ、携帯に便利である。【００２４】  図８は第２の実施例を示す正面図である。この実施例２のものは、座面部１にもヒンジ９が設けられ、底面部１が２つに折れ曲がり、より小さく畳むことができる。なお図７は理解を助けるために各ヒンジの曲がりを少なく、つまり少し開いた状態で描いているが、底面部１や２つの側面部２，３が完全に密着した状態となる。図９は、折り畳みの別な実施例（実施例３）を示すものであり、この例のものは底面部１を折り畳むと、底面部１によって全ての構成部が覆われ、底面部１によって帯状体６，７が保護される。【００２５】  図１０は帯状体６の他の実施例（実施例４）で、帯状体６は２つに分割され、その分割された帯状体６は面状ファスナー（マジックテープ（登録商標））１０を用いて長さが調節自在になっている。これによって、使用者の体格の違いや好みによって調整が可能である。つまり、大腿部の太さが同じ人であっても、帯状体６の長さが短いと大腿部が強く押され、逆に長いと押す力が弱くなり、使用者の好みで調整が可能である。この長さの調整手段は、この例以外に、バックルなども使用可能である。【００２６】  図１１は底面部１及び帯状体７の先端にマジックテープ１１を取り付け、帯状体７を底板部１の任意の場所に結合できるようにしたもの（実施例５）である。これによって、使用者の体格の違いや好みによって調整が可能である。なお、以上の例では帯状体６，７の一方しか図示せずに説明したが、当然両方一対にする。図１２は底面部１に帯状体７を縫いつけたものである。【００２７】  図１３（実施例６）は、底面部１と帯状体７とをマジックテープで結合するようにしたものであり、これは帯状体７を底面部１の任意の場所に結合でき、使用者の体型に合わせることができる。つまり人によっては大腿部の太さが左右の足で同じではなく、このような場合に、上記の図１１の実施例５や図１２の実施例６の物を用い、使用者の体格に合わせるとよい。【００２８】  図１５は本発明の実施例７を示すものであり、この図１５は大腿部安定化用装着具の正面から見た図で、左半分だけ示している。この実施例のものは座面部１にマジックテープ１３の一方を貼り付け、帯状部７の先にマジックテープ１３の他方を縫い付けるなど固定したものである。【００２９】  そして、さらに帯状部７が座面部１上で安定するように、座面部１に帯状部７を通すための安定環１４が設けられている。１５は角環で、鉄や真鍮にメッキをしたもの、或いはステンレスやアルミニウムで作られる。この角環１５は、座面部１の中央部にテープなどの帯１６を介して取り付けられている。【００３０】  また側面部３の内側には、大腿部に当たる保護クッション１７が取り付けられている。以上各説明した構成は左半分に相当する部分であるので、当然右半分にも対称に設けられている。【００３１】  この実施例のものは、帯状部７の長さをマジックテープ１３によって調節が可能であり、体格に応じて側面部２，３を快適な幅にすることができる。また同一の人が使用する場合であっても、状況に合わせて側面部２，３の幅を調整する事が可能である。【００３２】  しかも帯状部７は角環１５によって座面部１の中央部付近に固定されるため、使用中にぶれる事がなく、さらに安定環１４によって帯状部７は安定する。
そして大腿部保護クッション１７によって側面部２，３が直接大腿部に当たることがなく、長時間の使用によっても大腿部が痛くなったり、冬季の使用の際にも冷たく感じる事がない。
【産業上の利用可能性】
【００３３】  本発明の大腿部安定化用装着具は、以上のように大腿部安定化用装着具に関し、特に女性が長時間椅子に座る時などに、大腿部の姿勢が崩れ勝ちになるのを防いで、常時、正しい姿勢に安定に保持することができるものである。
【符号の説明】
【００３４】１      座面部
２，３      側面部
４，５      ヒンジ
６，７      帯状体
８            弾性板
９            ヒンジ
１０，１１，１３    マジックテープ
１４  安定環
１５  角環
１６  帯
１７  保護クッション
【図１】
2009240777.tif 000003
【図２】
2009240777.tif 000004
【図３】
2009240777.tif 000005
【図４】
2009240777.tif 000006
【図５】
2009240777.tif 000007
【図６】
2009240777.tif 000008
【図７】
2009240777.tif 000009
【図８】
2009240777.tif 000010
【図９】
2009240777.tif 000011
【図１０】
2009240777.tif 000012
【図１１】
2009240777.tif 000013
【図１２】
2009240777.tif 000014
【図１３】
2009240777.tif 000015
【図１４Ａ】
2009240777.tif 000016
【図１４Ｂ】
2009240777.tif 000017
【図１４Ｃ】
2009240777.tif 000018
【図１５】
2009240777.tif 000019